(57)【要約】【課題】ジャンル名のないコンテンツにジャンル名を設定する。【解決手段】コンテンツサーバ装置１の制御装置は、コンテンツ群からジャンル名のないコンテンツを検出する。制御装置は、検出したコンテンツのアーティスト名を判別し、同一のアーティストのコンテンツに割り当てられているジャンルを取得する。また、制御装置は、あらかじめ登録されたコンテンツ情報提供装置３にアクセスし、検索条件と同じアーティスト名をもつコンテンツ情報からジャンル名を取得する。そして、記憶装置に記憶したコンテンツにそのジャンル名を書き込む。【選択図】図１
2007272815.tif 000002
【特許請求の範囲】
【請求項１】
複数のコンテンツとそのジャンルとアーティストとを対応付けて格納するコンテンツ記憶手段と、
前記コンテンツ記憶手段に記憶されたコンテンツのうちから、ジャンルが対応付けられていないコンテンツを判別するノンジャンルコンテンツ判別手段と、
前記ノンジャンルコンテンツ判別手段で判別したコンテンツのアーティストを判別するアーティスト判別手段と、
前記アーティスト判別手段で判別したアーティストに対応付けられているジャンルを判別するジャンル判別手段と、
前記ノンジャンルコンテンツ判別手段でジャンルが対応付けられていないと判別されたコンテンツについて、該コンテンツとそのアーティストと前記アーティスト判別手段で判別されたジャンルとが対応するように、前記コンテンツ記憶手段にジャンルを書き込むジャンル書込手段と、
を備えることを特徴とするコンテンツサーバ装置。
【請求項２】
前記コンテンツサーバ装置は、コンテンツの識別情報と該コンテンツのジャンルとアーティストとを含むコンテンツ属性情報を格納しているコンテンツ情報提供装置に通信ネットワークを介して接続されており、
前記コンテンツサーバ装置は、前記コンテンツ情報サーバにアクセスし、前記アーティスト判別手段で判別したアーティストに対応付けられているジャンルを判別する第二ジャンル判別手段、を備え、
前記ジャンル書込手段は、前記ノンジャンルコンテンツ判別手段でジャンルが対応付けられていないと判別されたコンテンツであって、前記アーティスト判別手段で判別されたアーティストが対応付けられているものに、前記ジャンル判別手段又は第二ジャンル判別手段で判別されたジャンルを対応付けるように、前記コンテンツ記憶手段にジャンルを書き込む、
ことを特徴とする請求項１に記載のコンテンツサーバ装置。
【請求項３】
前記コンテンツ記憶手段は、TOC（Table  Of  Contents）情報を記憶しており、
前記ノンジャンルコンテンツ判別手段は、TOC（Table  Of  Contents）情報を参照し、該TOC情報にジャンルが記されているか否かを判別することにより、ジャンルが対応付けられていないコンテンツを判別する、
ことを特徴とする請求項１又は２に記載のコンテンツサーバ装置。
【請求項４】
複数のコンテンツとそのジャンルとアーティストとを対応付けて格納するコンテンツ記憶手段に記憶されたコンテンツのうちから、ジャンルが対応付けられていないコンテンツを判別し、
判別したコンテンツのアーティストを判別し、
判別したアーティストに対応付けられているジャンルを判別し、
判別したジャンルに基づいて、ノンジャンルコンテンツ判別手段でジャンルが対応付けられていないと判別されたコンテンツについて、該コンテンツに対応するジャンルを前記コンテンツ記憶手段に書き込む、
ことを特徴とするジャンル設定方法。
【請求項５】
コンピュータに、
複数のコンテンツとそのジャンルとアーティストとを対応付けて格納するコンテンツ記憶手段に記憶されたコンテンツのうちから、ジャンルが対応付けられていないコンテンツを判別し、
判別したコンテンツのアーティストを判別し、
判別したアーティストに対応付けられているジャンルを判別し、
判別したジャンルに基づいて、ノンジャンルコンテンツ判別手段でジャンルが対応付けられていないと判別されたコンテンツについて、該コンテンツに対応するジャンルを前記コンテンツ記憶手段に書き込む、
処理を実行させるコンピュータプログラム。
【発明の詳細な説明】
【技術分野】
【０００１】
本発明は、コンテンツサーバ装置、ジャンル設定方法、およびコンピュータプログラムに関する。
【背景技術】
【０００２】
所望のコンテンツを検索する方法として、コンテンツの属性情報に「ジャンル（分類）」を設定し、ジャンルをキーにして絞り込みや検索を行う方法がある。
【０００３】
また、コンテンツには通常、TOC（Table  Of  Contents）と呼ばれるフィールドがあり、このTOCにジャンル名などの情報が記されている。このTOC情報に格納されるジャンルをキーにして、上述のように、コンテンツを検索したり、メニュー上でツリー表示することが行われている。しかし、TOC情報に、ジャンル名が記されているとは限らない。また、CDDB（CD DataBase）のように、広く音楽コンテンツ情報が蓄積されるデータベースから、そのコンテンツのジャンル名を取得できる仕組みも提案されている（例えば、特許文献１）が、CDDBにもジャンル名が登録されているとは限らない。さらに、CDDBなどに登録されていないコンテンツは、ジャンル情報が入手できないこともある。
【特許文献１】特開２００５−１７４２１２号公報
【発明の開示】
【発明が解決しようとする課題】
【０００４】
ジャンルが設定されていないコンテンツを、「Ｕｎｋｎｏｗｎ」、「その他」のようなジャンルに割り当てることも行われている。しかし、このような「その他」に分類されたコンテンツの実際のジャンルは多種多様であり、利用者が望むコンテンツを検索できない場合が多い。
【０００５】
本発明は、上記実状に鑑みてなされたものであり、ジャンルが付されていないコンテンツにジャンルを自動的に設定できるようにすることを目的とする。
【課題を解決するための手段】
【０００６】
上記目的を達成するため、本発明の第１の観点に係るコンテンツサーバ装置は、
複数のコンテンツとそのジャンルとアーティストとを対応付けて格納するコンテンツ記憶手段と、
前記コンテンツ記憶手段に記憶されたコンテンツのうちから、ジャンルが対応付けられていないコンテンツを判別するノンジャンルコンテンツ判別手段と、
前記ノンジャンルコンテンツ判別手段で判別したコンテンツのアーティストを判別するアーティスト判別手段と、
前記アーティスト判別手段で判別したアーティストに対応付けられているジャンルを判別するジャンル判別手段と、
前記ノンジャンルコンテンツ判別手段でジャンルが対応付けられていないと判別されたコンテンツについて、該コンテンツとそのアーティストと前記アーティスト判別手段で判別されたジャンルとが対応するように、前記コンテンツ記憶手段にジャンルを書き込むジャンル書込手段と、
を備えることを特徴とする。
【０００７】
例えば、前記コンテンツサーバ装置は、コンテンツの識別情報と該コンテンツのジャンルとアーティストとを含むコンテンツ属性情報を格納しているコンテンツ情報提供装置に通信ネットワークを介して接続されていてもよい。この場合、例えば、前記コンテンツサーバ装置は、前記コンテンツ情報サーバにアクセスし、前記アーティスト判別手段で判別したアーティストに対応付けられているジャンルを判別する第二ジャンル判別手段、を備え、前記ジャンル書込手段は、前記ノンジャンルコンテンツ判別手段でジャンルが対応付けられていないと判別されたコンテンツであって、前記アーティスト判別手段で判別されたアーティストが対応付けられているものに、前記ジャンル判別手段又は第二ジャンル判別手段で判別されたジャンルを対応付けるように、前記コンテンツ記憶手段にジャンルを書き込む。
【０００８】
例えば、前記コンテンツ記憶手段は、TOC（Table  Of  Contents）情報を記憶しており、前記ノンジャンルコンテンツ判別手段は、TOC（Table  Of  Contents）情報を参照し、該TOC情報にジャンルが記されているか否かを判別することにより、ジャンルが対応付けられていないコンテンツを判別する。
【０００９】
上記目的を達成するため、本発明の第２の観点に係るジャンル設定方法は、
複数のコンテンツとそのジャンルとアーティストとを対応付けて格納するコンテンツ記憶手段に記憶されたコンテンツのうちから、ジャンルが対応付けられていないコンテンツを判別し、
判別したコンテンツのアーティストを判別し、
判別したアーティストに対応付けられているジャンルを判別し、
判別したジャンルに基づいて、ノンジャンルコンテンツ判別手段でジャンルが対応付けられていないと判別されたコンテンツについて、該コンテンツに対応するジャンルを前記コンテンツ記憶手段に書き込む、
ことを特徴とする。
【００１０】
上記目的を達成するため、本発明の第３の観点に係るコンピュータプログラムは、コンピュータに、
複数のコンテンツとそのジャンルとアーティストとを対応付けて格納するコンテンツ記憶手段に記憶されたコンテンツのうちから、ジャンルが対応付けられていないコンテンツを判別し、
判別したコンテンツのアーティストを判別し、
判別したアーティストに対応付けられているジャンルを判別し、
判別したジャンルに基づいて、ノンジャンルコンテンツ判別手段でジャンルが対応付けられていないと判別されたコンテンツについて、該コンテンツに対応するジャンルを前記コンテンツ記憶手段に書き込む、
処理を実行させる。
【発明の効果】
【００１１】
本発明によれば、ジャンル情報を有さないコンテンツにジャンルが自動的に設定できる。しかも、アーティストに基づいてジャンルを特定するので、ジャンルを比較的正確に特定できる。
【発明を実施するための最良の形態】
【００１２】
以下、この発明の実施の形態に係るコンテンツサーバ装置について説明する。
【００１３】
本発明の実施の形態に係るコンテンツサーバ装置は、コンテンツ配信事業者に設置される装置であり、図１に示すように、通信ネットワークNと、コンテンツサーバ装置１と、クライアント装置２と、コンテンツ情報提供装置３から構成される。
【００１４】
コンテンツサーバ装置１は、複数のコンテンツを記憶し、クライアント装置２から検索条件（曲名、ジャンル、アーティスト名等）を受け取って、該当するコンテンツを検索して要求元のクライアント装置２に提供する装置である。なお、コンテンツサーバ装置１は、記憶しているコンテンツにジャンルが設定されていない場合に、ジャンルを自動設定する機能を備える。ジャンルを自動設定する仕組みについては、後述する。
【００１５】
コンテンツサーバ装置１は、図２に示すように、通信装置１０と、制御装置１１と、記憶装置１２と、から構成される。
【００１６】
通信装置１０は、例えば、NIC（Network  Interface  Card）やルータ、モデム、などの通信装置から構成され、通信ネットワークNを介して、クライアント装置２との間で種々の情報を送受信する。
【００１７】
制御装置１１は、例えば、CPU（Central  Processing  Unit：中央演算処理装置）やワークエリアとなるRAM（Random  Access  Memory）などから構成され、後述する各種制御動作を実行する。
【００１８】
記憶装置１２は、ハードディスク装置などの外部記憶装置から構成され、制御装置１１の処理プログラム、楽曲等のコンテンツ群等を記憶する。コンテンツ群は図３に示すように、TOC情報をもつ複数のコンテンツの集合である。TOC情報にはアルバムのタイトルや、ジャンル名、全演奏時間、各楽曲の演奏時間等の属性情報が登録されている。そして、TOC情報と共に、アルバムの中身である各楽曲がコンテンツとして記憶されている。なお、全ての情報がそろっているとは限らず、ジャンルやアーティストなどの情報が欠けていることもある。
【００１９】
通信ネットワークNは、例えば、TCP/IP（Transmission  Control  Protocol/Internet  Protocol）などの通信プログラムに基づいてデータ伝送を行うネットワークである。
【００２０】
クライアント装置２は、ネットワーク通信機能を有する一般的なコンテンツ再生装置であり、例えば、パーソナルコンピュータ等の情報処理装置或いはコンテンツの再生専用装置から構成される。
【００２１】
このクライアント装置２は、コンテンツを利用する者（以下、利用者とする）により使用される装置である。
【００２２】
クライアント装置２は、例えば、検索条件として、曲名、アーティスト名、ジャンル名等の検索条件を指定して、コンテンツサーバ装置１に検索を指示し、検索条件に該当するコンテンツのリストの提示を受け、リストから任意のコンテンツを指定して、ダウンロードし、記憶装置に格納する。
【００２３】
クライアント装置２は、記憶装置に格納したコンテンツを、再生したり検索したりすることができる。
【００２４】
コンテンツ情報提供装置３は、音楽CDに収録された楽曲に関する情報を、利用者のクライアント装置２に提供する装置であり、例えばCDDBやfreedb等の情報提供装置がある。このCDDBやfreedbには、図４に示すように、例えばアルバムに含まれる楽曲数やその時間の他、そのアルバムの発売日や、楽曲のジャンル、作詞者、作曲者等の多様な情報が登録される。
【００２５】
次に、コンテンツサーバ装置１を利用するための処理について、図５〜図９を参照して説明する。コンテンツサーバ装置１の処理は、図５に示すように、コンテンツ抽出処理（ステップS１）と、ジャンル名取得処理（ステップS２）と、ジャンル名書込処理（ステップS３）と、から構成される。以下、各処理について詳細に説明する。
【００２６】
前提としてコンテンツサーバ装置１の記憶装置１２には、コンテンツ配信事業者により、図３に示すように、コンテンツ群がＴＯＣと共に登録されており、クライアント装置２から、コンテンツをダウンロードできる環境にあるとする。
【００２７】
また、他の前提としてコンテンツ情報提供装置３には、図４に示すようなコンテンツ情報群が登録されており、コンテンツサーバ装置１は、コンテンツ情報提供装置３にアクセス可能な環境にあるとする。
【００２８】
このような前提のもと、利用者はアーティスト名「にほへ」、ジャンル名「演歌」とする検索条件を、クライアント装置２からコンテンツサーバ装置１に対して投げかけ、検索条件に該当するコンテンツの抽出要求をしたとする。
【００２９】
まず、コンテンツサーバ装置１の制御装置１１は、コンテンツ抽出処理（ステップS１）を行う。
【００３０】
このコンテンツ抽出処理（ステップS１）では、制御装置１１は、要求電文に記されたアーティスト名、ジャンル名を読み取って記憶する（ステップS１００）。具体的には、制御装置１１は、受け取ったリクエスト要求の電文、例えばHTML（HyperText  Markup  Language）で記された要求電文のアーティスト名、ジャンル名という項目に、何らかの記載があるか否か、すなわち「にほへ」、「演歌」が記されているか否かを、javaであればsearchコマンド等の公知の方法で読み取り、記憶装置１２に記憶する。
【００３１】
次に、制御装置１１は、ステップS１００で、記憶したアーティスト名、ジャンル名を用いて、このアーティスト名、ジャンル名と同じアーティスト名、ジャンル名をもつコンテンツを抽出する。具体的には、制御部１１は、アーティスト名「にほへ」に一致するコンテンツを抽出し、記憶装置１２に記憶する（ステップS１０１）。
【００３２】
さらに制御装置１１は、ステップS１０１で抽出したコンテンツに、ジャンル名があるか否かを判別し（ステップS１０２）、ジャンル名がないと判別された場合（ステップＳ１０２；Ｎｏ）に、ジャンル名がないコンテンツを抽出して、記憶装置１２に記憶する（ステップS１０３）。具体的には、制御部１１は、ステップS１０１で抽出したコンテンツ１２０の「ジャンル名」項目に記された文字列を読み取って、ジャンル名の有無を判別する。そして、ジャンル名が無い、すなわち空白である場合に、そのコンテンツを抽出し、記憶装置１２に記憶する。一方、ジャンル名があると判別された場合（ステップＳ１０２；Ｙｅｓ）、コンテンツ抽出処理（ステップＳ１）を終了する。
【００３３】
これまでの処理が終了すると、コンテンツ抽出処理（ステップS１）が終了し、ジャンル名取得処理（ステップS２）に進む。
【００３４】
制御装置１１は、ステップS１００で記憶したアーティスト名と、あらかじめコンテンツサーバ装置１に記憶されているコンテンツ情報提供サーバ装置３の所在情報、例えばIPアドレスとを読み取ってコンテンツサーバ装置３にアクセスし、コンテンツ情報群からコンテンツ情報３２０を抽出する。具体的には、制御装置１１は、例えばjavaであればsearchコマンド等を用いて、コンテンツサーバ装置３から、ステップS１０１で記憶したアーティスト名をもつコンテンツ情報を抽出する命令と、後述するステップS２０２でジャンル名を読み取る命令を含んだ電文を作成する（ステップS２００）。
【００３５】
次に、制御装置１１は、ステップS２００で作成した電文に含まれる命令を実行し、コンテンツ情報提供装置３のコンテンツ情報群から、その電文に記されたアーティスト名のコンテンツ情報３２０を特定する（ステップS２０１）。具体的には、制御装置１１は、前述のsearchコマンド等を用いて、電文に記された「にほへ」を含むコンテンツ情報３２０をコンテンツ情報群から特定する。
【００３６】
続いて、制御装置１１は、コンテンツ情報３２０のジャンル名の項目に記された文字列を取り出して、記憶装置１２に記憶させる（ステップS２０２）。具体的には、制御装置１１は、前述のステップS２００で生成した電文を実行して、コンテンツ情報３２０からジャンル名である「演歌」を取り出し、記憶装置１２に記憶させる。また、制御装置１１は、コンテンツ情報３２０から、ジャンル名である「演歌」を取り出すことができない場合、例えばジャンル名が空欄となっている場合でも、その空白値を記憶装置１２に記憶させる。
【００３７】
これまでの処理が終了すると、ジャンル名取得処理（ステップS２）が終了し、続いて、ジャンル名書込処理（ステップS３）に進む。
【００３８】
ジャンル名書込処理（ステップS３）では、制御装置１１は、まず、ステップS２０２で記憶装置１２に記憶したジャンル名が文字列か否かを判別する（ステップS３００）。具体的には、制御装置１１は、ジャンル名「演歌」を読み取ることにより、ジャンル名が記されているかを判別する（ステップS３００）。ジャンル名が記されていると判別されると、そのジャンル名をS１０３で記憶したジャンル名のないコンテンツに書き込み、そのコンテンツを記憶する（ステップS３０１）。具体的には、該当するコンテンツのジャンル名の項目に、例えばwriteコマンド等を用いてジャンル名「演歌」を書き込んで記憶する。
【００３９】
一方、ジャンル名が記されていないと判別されると、アーティスト検索処理（ステップS３１）に進む。
【００４０】
一方、アーティスト検索処理（ステップS３１）では、制御装置１１は、ステップS１０１で抽出したコンテンツから、ステップS１０１で記憶したアーティスト名と同じアーティスト名を持つコンテンツを特定する（ステップS３１０）。
【００４１】
そして、ステップS３１０で特定したコンテンツにジャンル名があるか判断し（ステップS３１１）、ジャンル名がある場合は、そのコンテンツ（図３に示すコンテンツ１２１）のジャンル名を読み取って、ジャンル名のないコンテンツ１２０に書き込む（ステップS３１２）。
【００４２】
一方、ステップS３１１で、ジャンル名がないと判断した場合は、ステップS１００で記憶したアーティスト名を、ジャンル名のないコンテンツ１２０に書き込む（ステップS３１３）。
【００４３】
以上のようなステップS３０１、またはステップS３１１を行うことにより、ジャンル名のないコンテンツにジャンル名が設定される。
【００４４】
そして、制御装置１１は、ステップS３０１、ステップS３１２、またはステップS３１３のいずれかのステップで記憶したコンテンツのTOC情報をクライアント装置２に送信するよう通信装置１０に指示し、通信装置１０は、このTOC情報をクライアント装置２に送信する（ステップS３０２）。
【００４５】
以上の処理で、ジャンル名書込処理（ステップS３）が終了し、ジャンル設定処理の全ての処理が終了する。このような処理が行われることで、クライアント装置２からジャンル名のないコンテンツについての検索要求がなされたときでも、「その他」等に分類されることなく、ジャンル名に基づく検索ができる。
【００４６】
上記実施の形態は一例であり、本発明はこれに限られない。すなわち、種々の応用が可能であり、あらゆる実施の形態が本発明の範囲に含まれる。
【００４７】
例えば、上記実施例では、コンテンツ情報提供装置３に接続する前提で、ジャンル名をコンテンツに書き込むこととしているが、例えば通信ネットワークNに接続できるか否かを検知して、通信ネットワークNに接続できない可能性が大きい場合等は、コンテンツ情報提供装置３に接続せず、直接コンテンツサーバ装置１のコンテンツ群から、ジャンル名を設定する処理を行うこととしてもよい。
また、コンテンツ情報提供装置３が接続されていない形態としてもよい。
【００４８】
また、上記実施例では、クライアント装置２からアーティスト名と、ジャンル名とを受信してコンテンツを検索しているが、例えばアーティスト名と国名等、他の条件で検索する等の処理形態で実施しても構わない。
【００４９】
上記実施の形態では、理解を容易にするため、ジャンルとアーティストが検索条件として指定された場合を例として説明したが、検索条件は任意である。検索の結果、ジャンルが特定されていないコンテンツが存在する場合は、そのアーティストを判別し、そのアーティストの他のコンテンツを判別して、それに割り当てされているジャンルを特定し、該当するコンテンツのジャンルとする。
【００５０】
なお、同一アーティストについて、複数のジャンルが検索される場合には、例えば、多数決などの方法で、任意のジャンルを特定してもよい。
さらに、上記実施例では、音楽CDのコンテンツを取り上げて説明しているが、コンテンツは、画像、動画、書籍、論文などでもよい。従って、アーティストは、歌手、楽団、作曲家、作詞家、映画の監督、主演者、助演者、脚本家、原作者、論文執筆者、監修者等を含む広い概念である。また、ジャンル名は、音楽分野における音楽の種類に限定されず、画像や映画の種類、技術分野、年代、国・地域、等任意である。
【００５１】
また、クライアント装置２から検索の要求があった時に、ジャンル未設定のコンテンツにジャンルを設定する例を示したが、コンテンツサーバ１が深夜などの負荷の少ないタイミングでジャンルを自動設定するようにしてもよい。
【００５２】
尚、システム構成や動作等については、同様の機能構成が得られるならば、任意に変更可能である。例えば、上記実施形態では、コンテンツサーバ装置１とコンテンツ情報提供装置３は、物理的に離れた場合を想定しているが、例えば両者が同一事業者の業務として行われている場合等は、論理的にコンテンツサーバ装置１の機能と、コンテンツ情報提供装置３の機能を保持することとしてもよい。この構成の場合には、コンテンツ情報提供装置３にアクセスする必要がないので、例えばステップS２００でコンテンツ情報提供装置３のIPアドレス情報を読み取るために、あらかじめIPアドレス情報等を記憶装置１２に記憶させる必要がなくなる。
【００５３】
上記実施の形態にかかるコンテンツサーバ装置１は、専用装置によって実現可能なことはもとより、汎用のコンピュータシステムによって構成することもできる。この場合、上記各処理を実現するためのプログラムを汎用コンピュータシステムにインストールしてOSとの協働により実行することで、汎用コンピュータ装置を、上記コンテンツサーバ装置１として機能させることができる。
【００５４】
さらに、上記実施の形態ではコンテンツサーバ装置１、およびクライアント装置２は、物理的に分離した構成としているが、コンテンツサーバ装置１と、クライアント装置２の機能をあわせもつオーディオ機器のような装置であってもよい。
【００５５】
その他、この発明は、複数のコンテンツとそのジャンルとアーティストとを対応付けて格納されている場合に、記憶されたコンテンツのうちから、ジャンルが対応付けられていないコンテンツを判別し、そのコンテンツのアーティストを判別し、他のコンテンツに関して、判別したアーティストに対応付けられているジャンルを判別し、判別したジャンルを該当するコンテンツに自動的に対応付ける処理全般に適用可能である。
また、ジャンル名として説明したが、ジャンルやアーティストを特定する情報は名前に限定されず、任意の識別情報を適用可能である。
【００５６】
また、上述の機能を実現するプログラムの提供方法は任意であり、CD−ROMなどの記録媒体に格納して提供可能なことはもとより、例えば、インターネットなどの通信媒体を介して提供してもよい。
【図面の簡単な説明】
【００５７】
【図１】本発明の実施の形態に係るコンテンツサーバ装置、クライアント装置、コンテンツ情報提供装置を模式的に示す図である。
【図２】図１に示すコンテンツサーバ装置の構成を示すブロック図である。
【図３】本発明の実施の形態に係るコンテンツの具体例を示すイメージ図である。
【図４】本発明の実施の形態に係るコンテンツ情報の具体例を示すイメージ図である。
【図５】本発明の実施の形態に係るジャンル設定処理の処理動作を説明するためのフローチャートである。
【図６】図５に示すコンテンツ抽出処理の処理動作を説明するためのフローチャートである。
【図７】図５に示すジャンル名取得処理の処理動作を説明するためのフローチャートである。
【図８】図５に示すジャンル名書込処理の処理動作を説明するためのフローチャートである。
【図９】図８に示すアーティスト検索処理の処理動作を説明するためのフローチャートである。
【符号の説明】
【００５８】
１      コンテンツサーバ装置
２      クライアント装置
３      コンテンツ情報提供装置
N        通信ネットワーク
１０    通信装置
１１    制御装置
１２    記憶装置
１２０  ジャンルが設定されていないコンテンツ
１２１  ジャンルが設定されているコンテンツ
３２０  ジャンルが設定されているコンテンツ情報
【図１】
2007272815.tif 000003
【図２】
2007272815.tif 000004
【図３】
2007272815.tif 000005
【図４】
2007272815.tif 000006
【図５】
2007272815.tif 000007
【図６】
2007272815.tif 000008
【図７】
2007272815.tif 000009
【図８】
2007272815.tif 000010
【図９】
2007272815.tif 000011